【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍に偏析する典型元素を有する、リチウムイオン二次電池。
【請求項２】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とに偏析する典型元素を有する、リチウムイオン二次電池。
【請求項３】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍に典型元素が存在する、リチウムイオン二次電池。
【請求項４】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とに典型元素が存在する、リチウムイオン二次電池。
【請求項５】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍に偏析する典型元素又はフッ素を有する、リチウムイオン二次電池。
【請求項６】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とに偏析する典型元素又はフッ素を有する、リチウムイオン二次電池。
【請求項７】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍に典型元素又はフッ素が存在する、リチウムイオン二次電池。
【請求項８】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とに典型元素又はフッ素が存在する、リチウムイオン二次電池。
【請求項９】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍に偏析するマグネシウムを有する、リチウムイオン二次電池。
【請求項１０】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とに偏析するマグネシウムを有する、リチウムイオン二次電池。
【請求項１１】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍にマグネシウムが存在する、リチウムイオン二次電池。
【請求項１２】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とにマグネシウムが存在する、リチウムイオン二次電池。
【請求項１３】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍に偏析するマグネシウム又はフッ素を有する、リチウムイオン二次電池。
【請求項１４】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とに偏析するマグネシウム又はフッ素を有する、リチウムイオン二次電池。
【請求項１５】
リチウム及びコバルトを含む複合酸化物を有する正極活物質を備えたリチウムイオン二次電池であって、
前記正極活物質はクラック部を有し、
前記正極活物質は前記クラック部又は前記クラック部の近傍にマグネシウム又はフッ素が存在する、リチウムイオン二次電池。
【請求項１６】
リチウム及びコバルトを含む複合酸化物を有する正極活物質を備えたリチウムイオン二次電池であって、
前記正極活物質はクラック部を有し、
前記正極活物質は前記正極活物質の表層部と、前記クラック部又は前記クラック部の近傍とにマグネシウム又はフッ素が存在する、リチウムイオン二次電池。
【請求項１７】
請求項９乃至請求項１６のいずれか一において、
前記正極活物質は、前記クラック部又は前記クラック部の近傍に対するＥＤＸの点分析において、マグネシウム／コバルトが０〜０．２２である、リチウムイオン二次電池。
【請求項１８】
請求項１０、請求項１２、請求項１４、請求項１６又は請求項１７において、
前記正極活物質は、前記表層部に対するＥＤＸの点分析において、マグネシウム／コバルトが０．１５〜０．５０である、リチウムイオン二次電池。
【請求項１９】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍に偏析する典型元素を有する、リチウムイオン二次電池。
【請求項２０】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とに偏析する典型元素を有する、リチウムイオン二次電池。
【請求項２１】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍に典型元素が存在する、リチウムイオン二次電池。
【請求項２２】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とに典型元素が存在する、リチウムイオン二次電池。
【請求項２３】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍に偏析する典型元素又はフッ素を有する、リチウムイオン二次電池。
【請求項２４】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とに偏析する典型元素又はフッ素を有する、リチウムイオン二次電池。
【請求項２５】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍に典型元素又はフッ素が存在する、リチウムイオン二次電池。
【請求項２６】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とに典型元素又はフッ素が存在する、リチウムイオン二次電池。
【請求項２７】
請求項１乃至請求項８、請求項１９乃至請求項２６のいずれか一において、
前記典型元素は、カルシウム、ベリリウム、リチウム、又はナトリウムを有する、リチウムイオン二次電池。
【請求項２８】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍に偏析するマグネシウムを有する、リチウムイオン二次電池。
【請求項２９】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とに偏析するマグネシウムを有する、リチウムイオン二次電池。
【請求項３０】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍にマグネシウムが存在する、リチウムイオン二次電池。
【請求項３１】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とにマグネシウムが存在する、リチウムイオン二次電池。
【請求項３２】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍に偏析するマグネシウム又はフッ素を有する、リチウムイオン二次電池。
【請求項３３】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とに偏析するマグネシウム又はフッ素を有する、リチウムイオン二次電池。
【請求項３４】
リチウム及びコバルトを含む複合酸化物を有する正極活物質を備えたリチウムイオン二次電池であって、
前記正極活物質は結晶欠陥を有し、
前記正極活物質は前記結晶欠陥又は前記結晶欠陥の近傍にマグネシウム又はフッ素が存在する、リチウムイオン二次電池。
【請求項３５】
リチウム及びコバルトを含む複合酸化物を有する正極活物質を備えたリチウムイオン二次電池であって、
前記正極活物質は結晶欠陥を有し、
前記正極活物質は前記正極活物質の表層部と、前記結晶欠陥又は前記結晶欠陥の近傍とにマグネシウム又はフッ素が存在する、リチウムイオン二次電池。
【請求項３６】
リチウム及びコバルトを含む複合酸化物を有する正極活物質であって、クラック部又は前記クラック部の近傍に偏析する典型元素を有する、リチウムイオン二次電池の正極活物質。
【請求項３７】
リチウム及びコバルトを含む複合酸化物を有する正極活物質であって、表層部と、クラック部又は前記クラック部の近傍とに偏析する典型元素を有する、リチウムイオン二次電池の正極活物質。
【請求項３８】
リチウム及びコバルトを含む複合酸化物を有する正極活物質であって、クラック部又は前記クラック部の近傍に典型元素が存在する、リチウムイオン二次電池の正極活物質。
【請求項３９】
リチウム及びコバルトを含む複合酸化物を有する正極活物質であって、表層部と、クラック部又は前記クラック部の近傍とに典型元素が存在する、リチウムイオン二次電池の正極活物質。
【請求項４０】
リチウム及びコバルトを含む複合酸化物を有する正極活物質であって、クラック部又は前記クラック部の近傍に偏析する典型元素又はフッ素を有する、リチウムイオン二次電池の正極活物質。
【請求項４１】
リチウム及びコバルトを含む複合酸化物を有する正極活物質であって、表層部と、クラック部又は前記クラック部の近傍とに偏析する典型元素又はフッ素を有する、リチウムイオン二次電池の正極活物質。
【請求項４２】
リチウム及びコバルトを含む複合酸化物を有する正極活物質であって、クラック部又は前記クラック部の近傍に典型元素又はフッ素が存在する、リチウムイオン二次電池の正極活物質。
【請求項４３】
リチウム及びコバルトを含む複合酸化物を有する正極活物質であって、表層部と、クラック部又は前記クラック部の近傍とに典型元素又はフッ素が存在する、リチウムイオン二次電池の正極活物質。
【請求項４４】
リチウム及びコバルトを含む複合酸化物を有する正極活物質であって、クラック部又は前記クラック部の近傍に偏析するマグネシウムを有する、リチウムイオン二次電池の正極活物質。
【請求項４５】
リチウム及びコバルトを含む複合酸化物を有する正極活物質であって、表層部と、クラック部又は前記クラック部の近傍とに偏析するマグネシウムを有する、リチウムイオン二次電池の正極活物質。
【請求項４６】
リチウム及びコバルトを含む複合酸化物を有する正極活物質であって、クラック部又は前記クラック部の近傍にマグネシウムが存在する、リチウムイオン二次電池の正極活物質。
【請求項４７】
リチウム及びコバルトを含む複合酸化物を有する正極活物質であって、表層部と、クラック部又は前記クラック部の近傍とにマグネシウムが存在する、リチウムイオン二次電池の正極活物質。
【請求項４８】
リチウム及びコバルトを含む複合酸化物を有する正極活物質であって、クラック部又は前記クラック部の近傍に偏析するマグネシウム又はフッ素を有する、リチウムイオン二次電池の正極活物質。
【請求項４９】
リチウム及びコバルトを含む複合酸化物を有する正極活物質であって、表層部と、クラック部又は前記クラック部の近傍とに偏析するマグネシウム又はフッ素を有する、リチウムイオン二次電池の正極活物質。
【請求項５０】
リチウム及びコバルトを含む複合酸化物を有する正極活物質であって、クラック部又は前記クラック部の近傍にマグネシウム又はフッ素が存在する、リチウムイオン二次電池の正極活物質。
【請求項５１】
リチウム及びコバルトを含む複合酸化物を有する正極活物質であって、表層部と、クラック部又は前記クラック部の近傍とにマグネシウム又はフッ素が存在する、リチウムイオン二次電池の正極活物質。
【請求項５２】
請求項４４乃至請求項５１のいずれか一において、
前記正極活物質は、前記クラック部又は前記クラック部の近傍に対するＥＤＸの点分析において、マグネシウム／コバルトが０〜０．２２である、リチウムイオン二次電池の正極活物質。
【請求項５３】
請求項４５、請求項４７、請求項４９、請求項５１又は請求項５２のいずれか一において、
前記正極活物質は、前記表層部に対するＥＤＸの点分析において、マグネシウム／コバルトが０．１５〜０．５０である、リチウムイオン二次電池の正極活物質。
【請求項５４】
リチウム及びコバルトを含む複合酸化物を有する正極活物質であって、結晶欠陥又は前記結晶欠陥の近傍に偏析する典型元素を有する、リチウムイオン二次電池の正極活物質。
【請求項５５】
リチウム及びコバルトを含む複合酸化物を有する正極活物質であって、表層部と、結晶欠陥又は前記結晶欠陥の近傍とに偏析する典型元素を有する、リチウムイオン二次電池の正極活物質。
【請求項５６】
リチウム及びコバルトを含む複合酸化物を有する正極活物質であって、結晶欠陥又は前記結晶欠陥の近傍に典型元素が存在する、リチウムイオン二次電池の正極活物質。
【請求項５７】
リチウム及びコバルトを含む複合酸化物を有する正極活物質であって、表層部と、結晶欠陥又は前記結晶欠陥の近傍とに典型元素が存在する、リチウムイオン二次電池の正極活物質。
【請求項５８】
リチウム及びコバルトを含む複合酸化物を有する正極活物質であって、結晶欠陥又は前記結晶欠陥の近傍に偏析する典型元素又はフッ素を有する、リチウムイオン二次電池の正極活物質。
【請求項５９】
リチウム及びコバルトを含む複合酸化物を有する正極活物質であって、表層部と、結晶欠陥又は前記結晶欠陥の近傍とに偏析する典型元素又はフッ素を有する、リチウムイオン二次電池の正極活物質。
【請求項６０】
リチウム及びコバルトを含む複合酸化物を有する正極活物質であって、結晶欠陥又は前記結晶欠陥の近傍に典型元素又はフッ素が存在する、リチウムイオン二次電池の正極活物質。
【請求項６１】
リチウム及びコバルトを含む複合酸化物を有する正極活物質であって、表層部と、結晶欠陥又は前記結晶欠陥の近傍とに典型元素又はフッ素が存在する、リチウムイオン二次電池の正極活物質。
【請求項６２】
請求項３６乃至請求項４３、請求項５４乃至請求項５７のいずれか一において、
前記典型元素は、カルシウム、ベリリウム、リチウム、又はナトリウムを有する、リチウムイオン二次電池の正極活物質。
【請求項６３】
リチウム及びコバルトを含む複合酸化物を有する正極活物質であって、結晶欠陥又は前記結晶欠陥の近傍に偏析するマグネシウムを有する、リチウムイオン二次電池の正極活物質。
【請求項６４】
リチウム及びコバルトを含む複合酸化物を有する正極活物質であって、表層部と、結晶欠陥又は前記結晶欠陥の近傍とに偏析するマグネシウムを有する、リチウムイオン二次電池の正極活物質。
【請求項６５】
リチウム及びコバルトを含む複合酸化物を有する正極活物質であって、結晶欠陥又は前記結晶欠陥の近傍にマグネシウムが存在する、リチウムイオン二次電池の正極活物質。
【請求項６６】
リチウム及びコバルトを含む複合酸化物を有する正極活物質であって、表層部と、結晶欠陥又は前記結晶欠陥の近傍とにマグネシウムが存在する、リチウムイオン二次電池の正極活物質。
【請求項６７】
リチウム及びコバルトを含む複合酸化物を有する正極活物質であって、結晶欠陥又は前記結晶欠陥の近傍に偏析するマグネシウム又はフッ素を有する、リチウムイオン二次電池の正極活物質。
【請求項６８】
リチウム及びコバルトを含む複合酸化物を有する正極活物質であって、表層部と、結晶欠陥又は前記結晶欠陥の近傍とに偏析するマグネシウム又はフッ素を有する、リチウムイオン二次電池の正極活物質。
【請求項６９】
リチウム及びコバルトを含む複合酸化物を有する正極活物質であって、結晶欠陥又は前記結晶欠陥の近傍にマグネシウム又はフッ素が存在する、リチウムイオン二次電池の正極活物質。
【請求項７０】
リチウム及びコバルトを含む複合酸化物を有する正極活物質であって、表層部と、結晶欠陥又は前記結晶欠陥の近傍とにマグネシウム又はフッ素が存在する、リチウムイオン二次電池の正極活物質。